(57)【要約】 【課題】例えば液晶装置等の電気光学装置およびそれを用いた電子機器に係り、液晶パネル等の電気光学パネルの温度変化による影響だけでなく湿度による影響をも抑制できると共に、温度や湿度に対する耐久性試験等を行う際には、温度および湿度による表示品位等の変化をリアルタイムで確認できるようにする。【解決手段】本発明による電気光学装置１は、電気光学パネル２と、その電気光学パネルの温度を制御する温度制御手段と、電気光学パネルの湿度を制御する湿度制御手段とを備えたことを特徴とする。具体的には、例えば上記電気光学パネル２をケース５内に密閉収容し、上記温度制御手段として上記ケース５内に密閉収容した電気光学パネル２を加熱するヒーター４２または冷却するクーラーを備え、上記湿度制御手段として加湿機６または除湿機と、その加湿機６または除湿機と上記ケースとを連通する連通管７とを備える。【選択図】  図１
2010181805.tif 000002
【特許請求の範囲】
【請求項１】
電気光学パネルと、
前記電気光学パネルを収容するホルダーと、
前記ホルダーを前記電気光学パネルと共に密閉収容するケースとを具備し、
前記ホルダーに設けられ前記電気光学パネルの温度を制御する温度制御手段と、
前記ケース内の湿度を制御する湿度制御手段と
を備えたことを特徴とする電気光学装置。
【請求項２】
前記温度制御手段として前記ケース内に密閉収容した電気光学パネルを加熱するヒータ
ーまたは冷却するクーラーを備え、前記湿度制御手段として加湿機または除湿機と、前記
加湿機または除湿機と前記ケースとを連通する連通管とを備えたことを特徴とする請求項
１に記載の電気光学装置。
【請求項３】
前記ケースは、少なくとも前記電気光学パネルの画素領域に対応する位置が透明体で形
成されている請求項２に記載の電気光学装置。
【請求項４】
前記ヒーターまたはクーラーは、前記電気光学パネルの画素領域に対応する位置を除く
前記電気光学パネル表面を加熱または冷却するように構成したことを特徴とする請求項２
または３に記載の電気光学装置。
【請求項５】
請求項１〜４のいずれかに記載の電気光学装置を備えたことを特徴とする電子機器。
【発明の詳細な説明】
【技術分野】
【０００１】
本発明は、例えば液晶装置等の電気光学装置およびそれを用いた電子機器に関する。
【背景技術】
【０００２】
従来、液晶パネル等の電気光学パネルを備えた液晶装置等の電気光学装置は、例えばプ
ロジェクター等の投射型表示装置における光変調用のライドバルブとして用いたり、或い
は携帯電話やノート型パソコン等のモバイル機器をはじめ、その他各種電子機器の表示部
などとして用いられている。
【０００３】
ところが、上記のような電気光学装置は、投影用光源やバックライト等からの光や熱、
もしくは使用する環境の温度や湿度によって電気光学特性や表示性能が変化して表示品位
や耐久性が低下する等のおそれがある。
【０００４】
そこで、例えば下記特許文献１および特許文献２においては、液晶パネルを寒冷地等で
使用する際にも表示性能が低下しないように液晶パネルを加熱ヒーター等で加熱すること
が提案されている。また下記特許文献３においては、バックライトによって液晶材が熱せ
られ、それによって画像表示に輝度むらやコントラストむらが生じるのを防ぐために、液
晶パネルの光入射側に面して、液体を封入した冷却部を設けると共に、その液体の熱を冷
却部の外部に放熱するための放熱部を備えることが提案されている。
【先行技術文献】
【特許文献】
【０００５】
【特許文献１】実公昭５８−２９４９４号公報
【特許文献２】実公平３−１４６５１号公報
【特許文献３】実公平７−２０６５８号公報
【発明の概要】
【発明が解決しようとする課題】
【０００６】
しかしながら、上記特許文献１〜３は、いずれも液晶パネルの温度による影響のみを考
慮しているが、液晶パネルの表示品位や耐久性を高めるためには、温度だけでは必ずしも
充分ではなく、湿度による影響も考慮する必要がある。また従来たとえばプロジェクター
用の液晶パネルの温度や湿度による表示品位等の変化を調べるための耐熱・耐湿性試験と
して、液晶パネルを通電用ボードに接続した状態で温湿調整用オーブンに入れて一定期間
放置したのちオーブンから取出し、次いで、上記パネルをプロジェクターに装着して投影
確認を行っているが、温度や湿度の変化に対応した表示品位等の変化をリアルタイムで確
認することができない等の不具合があった。
【０００７】
本発明は上記の問題点に鑑みて提案されたもので、液晶パネル等の電気光学パネルの温
度変化による影響だけでなく湿度による影響をも抑制できると共に、温度および湿度に対
する耐久性試験等を行う際には、温度および湿度による表示品位等の変化をリアルタイム
で確認することのできる電気光学装置およびそれを用いた電子機器を提供することを目的
とする。
【課題を解決するための手段】
【０００８】
上記の目的を達成するために本発明による電気光学装置および電子機器は、以下の構成
としたものである。即ち、本発明による電気光学装置は、電気光学パネルと、前記電気光
学パネルを収容するホルダーと、前記ホルダーを前記電気光学パネルと共に密閉収容する
ケースとを具備し、前記ホルダーに設けられ前記電気光学パネルの温度を制御する温度制
御手段と、前記ケース内の湿度を制御する湿度制御手段とを備えたことを特徴とする。
【０００９】
上記のように、電気光学パネルと、その電気光学パネルを収容するホルダーと、そのホ
ルダーを電気光学パネルと共に密閉収容するケースと、上記ホルダーに設けられ電気光学
パネルの温度を制御する温度制御手段と、上記ケース内の湿度を制御する湿度制御手段と
を備えたことによって、温度だけでなく湿度による電気光学パネルの表示品位や耐久性の
低下を抑制することができる。また温度や湿度に対する耐久性試験等を行う際には、温度
および湿度による表示品位等の変化をリアルタイムで確認することが可能となる。
【００１０】
具体的には、例えば上記温度制御手段として上記ケース内に密閉収容した電気光学パネ
ルを加熱するヒーターまたは冷却するクーラーを備え、上記湿度制御手段として加湿機ま
たは除湿機と、その加湿機または除湿機と上記ケースとを連通する連通管とを備える。
【００１１】
上記のように構成にすると、温度制御手段としてのヒーターまたはクーラーで上記ケー
ス内に密閉収容した電気光学パネルを加熱または冷却することができると共に、湿度制御
手段としての加湿機または除湿機と、それらとケースとを連通する連通管とによって上記
ケース内に密閉収容した電気光学パネルを加湿または除湿することが可能となる。また温
度や湿度に対する耐久性試験等を行う際には、上記ヒーターまたはクーラーで電気光学パ
ネルの温度を、また上記加湿機または除湿機で電気光学パネルの湿度をそれぞれ調整しな
がらリアルタイムで表示品位等の変化を調べることが可能となる。
【００１２】
なお、上記ケースは、少なくとも電気光学パネルの画素領域（表示領域）に対応する位
置が透明体で形成されているのが望ましい。このようにすると、上記ケースによって電気
光学パネルの画素領域が見づらくなったり、表示性能が低下するのを防ぐことができる。
【００１３】
また上記ヒーターまたはクーラーは、電気光学パネルの画素領域に対応する位置を除く
電気光学パネルの表面を加熱または冷却するように構成するのが望ましい。このようにす
ると、上記ヒーターやクーラーによって電気光学パネルの画素領域が見づらくなったり表
示性能が低下するのを防止することが可能となる。
【００１４】
また本発明による電子機器は、上記のように構成された電気光学装置を備えたことを特
徴とする。このような電気光学装置を備えた電子機器によれば、温度だけでなく湿度によ
る電気光学パネルの表示品位や耐久性の低下を抑制した電子機器を得ることが可能となり
、また温度や湿度に対する耐久性試験等を行う際には、温度および湿度による表示品位等
の変化をリアルタイムで確認することができる。
【００１５】
具体的には、例えば上記の電子機器としてプロジェクター等の投射型表示装置に適用す
る場合には、その投射型表示装置における光源からの光を変調するライトバルブとして上
記のように構成された電気光学装置を用いることで、光源からの光や熱で電気光学パネル
の温度が上昇したり、寒冷地で使用する際の温度低下を抑制できるだけでなく、湿度によ
る表示品位や耐久性の低下をも低減することが可能となる。また温度や湿度に対する耐久
性試験等を行う際には、温度および湿度による表示品位等の変化をリアルタイムで確認す
ることができる。
【図面の簡単な説明】
【００１６】
【図１】本発明による電気光学装置としての液晶装置の一実施形態を示す概略構成の斜視図。
【図２】（ａ）は上記液晶装置の縦断正面図、（ｂ）は縦断側面図。
【図３】（ａ）は上記液晶装置で用いた電気光学パネルとしての液晶パネルと、それを収容したフレームの正面図、（ｂ）はその側面図、（ｃ）は（ｂ）におけるｃ−ｃ断面図。
【図４】（ａ）は上記液晶装置に用いる電気光学パネルとしての液晶パネルの具体的な構成の一例を示す平面図、（ｂ）は（ａ）におけるｂ−ｂ断面図。
【図５】上記液晶装置をライトバルブとして用いた電気機器としての投射型表示装置の概略構成を示す説明図。
【発明を実施するための形態】
【００１７】
以下、本発明による電気光学装置およびそれを用いた電子機器を、図に示す実施形態に
基づいて具体的に説明する。
【００１８】
〔電気光学装置〕
図１および図２に示す電気光学装置としての液晶装置１は、電気光学パネルとしての液
晶パネル２を図３に示すようなフレーム３内に収容した状態で温度制御手段を備えたホル
ダー４内に挿入し、そのホルダー４と共に上記液晶パネル２を箱状のケース５内に密閉収
容した構成であり、そのケース５の外側には、湿度制御手段として、加湿機６または除湿
機を設けると共に、その加湿機６または除湿機と上記ケース５とを連通する連通管７が設
けられている。
【００１９】
上記液晶パネル２の構成は適宜であるが、本実施形態においては画素用のスイッチング
素子として薄膜トランジスターを用いたアクティブマトリックス型の液晶パネル２を使用
したもので、その具体的な構成の一例を図４に基づいて説明する。
【００２０】
上記液晶パネル２の薄膜トランジスターは、図４に示す石英やガラスもしくはシリコン
等からなる素子基板（ＴＦＴアレイ基板）１０上に設けられ、その素子基板１０に対向し
てガラスや石英等からなる対向基板２０が設けられている。その素子基板１０と対向基板
２０とは、画素領域（表示領域）２ａの周囲に設けたシール材２４により相互に接着固定
され、そのシール材２４の内側の素子基板１０と対向基板２０との間に液晶を注入するこ
とによって液晶層２５が形成されている。図４（ａ）において、２４ａは上記シール材２
４の一部を欠落させて形成した液晶注入口、２４ｂはその液晶注入口２４ａを塞ぐ封止材
である。
【００２１】
上記シール材２４の外側の領域、すなわち画素領域２ａの外側の周辺領域には、不図示
のデータ線に画像信号を所定のタイミングで供給することにより該データ線を駆動するデ
ータ線駆動回路１４および外部回路接続端子１５が素子基板１０の一辺に沿って設けられ
ている。また不図示の走査線に走査信号を所定のタイミングで供給することにより該走査
線を駆動する走査線駆動回路１６が、上記の一辺に隣接する二辺と平行に且つ上記シール
材２４の内側に設けた遮光膜２６に対向する位置において素子基板１０上に設けられてい
る。さらに素子基板１０の残る一辺には、上記二辺と平行に設けられた走査線駆動回路１
６の外部回路接続端子１５側と反対側をつなぐための複数の配線１７が設けられている。
【００２２】
上記シール材２４の４つのコーナー部における素子基板１０上には上下導通端子１９が
形成され、素子基板１０と対向基板２０相互間には、下端が上下導通端子１９に接触し、
上端が対向電極２０に接触する上下導通材１８が設けられており、その上下導通材１８に
よって、素子基板１０と対向基板２０との間で電気的な導通がとられている。
【００２３】
上記素子基板１０の内面側（液晶層２５側）には、画素を構成する画素電極１２等が設
けられ、その内側には配向膜１３が設けられている。また上記対向基板２０上にはその略
全面にわたって対向電極２２が設けられ、その内面側にも配向膜２３が設けられている。
その各配向膜１３，２３は、例えばポリイミド膜等の透明な有機膜からなり、その表面に
ラビング処理等を施こすことによって上記液晶層２５内の液晶分子を、該液晶層２５に供
給される電圧に応じて所定の方向に配向させている。
【００２４】
上記のように構成された液晶パネル２は、本実施形態においては前述のようにフレーム
３内に収容した状態でホルダー４内に挿入するもので、その際、液晶パネル２の外側、す
なわち素子基板１０および対向基板２０の各対向面と反対側には、それぞれ図４（ｂ）に
示すような透明もしくは半透明の防塵ガラス等よりなる保護板１１、２１を不図示の透明
接着材等で貼着する。また素子基板１０の対向基板２０側には図３（ｂ）に示すような液
晶パネル２と外部の電源や信号入力源とを電気的に接続するための導電接続部材を兼ねる
ＦＰＣ（Flexible Printed Circuit）等の可撓性基板１０ａをＡＣＦ（Anisotropic Cond
uctive Film）等の導電性接着材等で接続した状態でフレーム３内に収容する。なお、上
記素子基板１０および対向基板２０の液晶層２５と反対側もしくは各保護板１１、２１の
基板１０、２０と反対側には、それぞれ必要に応じて偏光板を配置する。
【００２５】
上記フレーム３は、図３（ａ）に示すように正面中央部に液晶パネル２の画素領域２ａ
に対応した開口部３１ａを有する略方形枠状のフレーム本体３１と、そのフレーム本体３
１の背面側（図３（ｃ）で右側）に設けた支持プレート３２とからなり、フレーム本体３
１内に液晶パネル２を保護板１１、２１と共に挿入して支持プレート３２で抜け止め保持
させる構成である。
【００２６】
その支持プレート３２は、図３（ｂ）に示すように、その左右両側部に設けた係止フッ
ク３２ａの係止孔３２ｂに、フレーム本体３１の左右両側面に設けた突起３１ｂを係合さ
せることによって、支持プレート３２をフレーム本体３１に対して抜け止め保持させると
共に、フレーム本体３１と支持プレート３２との間に液晶パネル２と保護板１１、２１と
を挟んで保持させる構成である。また支持プレート３２の上記画素領域２ａに対応する位
置には矩形状の開口部３２ｃが設けられている。
【００２７】
上記液晶パネル２の保護板１１、２１およびフレーム３を構成するフレーム本体３１お
よび支持プレート３２の材質は適宜であるが、好ましくは熱伝導率の高い材質のものを用
いるのが望ましい。例えば本実施形態の液晶装置１をプロジェクター等の透過型表示装置
のライトバルブとして用いる場合には、保護板１１、２１は、後述する透過型表示装置に
おける投写レンズ１０８（図５参照）のバックフォーカス位置から液晶パネル２のパネル
面の位置をずらして光学的にパネル表面に付着したゴミを目立たなくすることを目的とし
て用いるものであるが、このような保護板１１、２１としては、例えばサファイア板等よ
りなる防塵基板を使用することができる。
【００２８】
またフレーム３を構成するフレーム本体３１および支持プレート３２としては、本実施
形態においてはマグネシウム合金を用いたものであるが、これに限らず、軽量で熱伝導性
のよい金属、例えばアルミニウム、チタン、或いは、アルミニウム、チタン、マグネシウ
ムの合金、炭素鋼、黄銅、ステンレス等の金属等を用いることもできる。さらに金属に限
らず、カーボンファイバー、カーボンナノチューブ等のカーボンフィラーを混入させた樹
脂（ポリカーボネート、ポリフィニレンサルフィド等）を用いることもできる。このよう
な材料を用いることで、液晶パネル２とフレーム３相互の熱伝導を効率的に行わせること
が可能となる。
【００２９】
上記のようにしてフレーム３内に収容した液晶パネル２は、上述のように温度制御手段
を有するホルダー４内に挿入するもので、その温度制御手段を有するホルダー４としては
、本実施形態においては上端が開口する略箱状のホルダー本体４１の壁面に電熱線等より
なる加熱用のヒーター４２を内蔵したものである。そのヒーター４２には、外部電源に接
続する給電用のリード線等が備えられているが図には省略した。上記ホルダー本体４１の
材質は適宜であるが、例えば金属材料等を用いると、熱伝導性が良いと共に、後述する湿
気や乾気を上記ホルダー４内の液晶パネル２に良好に導くことができる。
【００３０】
なお、上記実施形態は、温度制御手段として液晶パネル２を加熱するヒーター４２を用
いたが、そのヒーターの代わりに液晶パネル２を冷却するクーラーまたはヒーターとクー
ラーの両方を設けるようにしてもよい。そのクーラーは、例えば上記ヒーター４２と同様
にホルダー本体４１の壁内または略箱状のホルダー本体４１の内部に設けるか、あるいは
ケース５の外側にクーラーを設けて管等で冷却空気等の冷媒を上記ホルダー内の液晶パネ
ル２に導くようにしてもよい。或いは上記クーラーの代わりに空調機を用いて所望温度の
空気を液晶パネル２に導くようにしてもよい。
【００３１】
また上記ホルダー４の画素領域２ａに対応する位置には、上記ヒーター４２やクーラー
を設けることなく、光が透過するように開口部を設けるもので、本実施形態においてはプ
ロジェクター等の透過型表示装置に用いることを意図して、液晶パネル２の画素領域２ａ
に対応するホルダー本体４１の前側と後側（図２（ｂ）で左側と右側）の両方に開口部４
１ａを設けている。その各開口部４１ａは、図示例においてはフレーム３の開口部３１ａ
と同等もしくはそれよりもやや大きく形成すると共に、図２（ｂ）に示すようにフレーム
本体３１の前側の突出部３１ｃの外径よりもやや小さく形成されている。また上記各開口
部４ｂ内には上記ヒーター４２またはクーラーは設けることなく空洞に形成されている。
【００３２】
上記のようにしてホルダー４内に挿入した液晶パネル２は、該ホルダー４と共に箱状の
ケース５内に密閉収容するもので、そのケース５は、本実施形態においては、上面に開口
部５１ａを有する略箱状のケース本体５１と、そのケース本体５１の上面開口部５１ａを
閉塞する蓋体５２とで構成したものである。なお、上記ケース５の構成および材質は適宜
であり、少なくとも該ケース５内に水蒸気等の湿気や乾燥空気を収容し得る構成もしくは
材質又は耐光性のある材質であればよく、例えば各種のガラス等を用いることができる。
【００３３】
また上記ケース５は、液晶パネル２の画素領域２ａに形成される画像情報等を透過し得
るように少なくとも液晶パネル２の画素領域２ａに対応する位置を透明体で形成するとよ
く、本実施形態においてはケース本体５１と蓋体５２とからなるケース５全体を透明体で
形成したものであるが、ケース本体５１のみを透明体で形成してもよく、あるいはケース
本体５１の上記画素領域２ａと対応する位置のみを透明にしてもよい。特に、プロジェク
ター等の透過型の表示装置に用いる場合には、少なくとも上記画素領域２ａに対応する前
側（図２（ｂ）で左側）と後側（図２（ｂ）で右側）の両方を透明にするとよい。
【００３４】
さらに上記ケース５の外側には、前述のように湿度制御手段としての加湿機６または除
湿機と、その加湿機６または除湿機と上記ケース５とを連通管７とを備えるもので、本実
施形態においてはケース５の外部に加湿機６を備え、その加湿機６とケース５とを連通管
７連通させた構成であるが、加湿機６の代わりに除湿機を設けるか、または加湿機と除湿
機の両方を設けて選択的に使用するようにしてもよい。或いは加湿機６の代わりに加湿と
除湿の両方の機能を有する空調機を設けるか、若しくは温度と湿度を任意に調整できる空
調機を用いるようにしてもよい。後者の場合には上記のヒーターやクーラーは省略するこ
とができる。
【００３５】
また図の場合は上記連通管７をケース本体５１の底部に連通させると共に、その底部上面
に設けた突起５１ｂの上にホルダー４を載置して該ホルダー４の下面とケース本体５１の
底部上面との間に湿気や換気が流通する隙間Ｓを設けるようにしたが、その隙間Ｓは必ず
しも設けなくてもよく、また連通管７はケース本体５１の底部に限らず蓋体５２をも含め
てケース５の任意の位置に連通させることができる。
【００３６】
上記のように構成された液晶装置１を組立てるに当たっては、その手順等は適宜である
が、例えば以下の要領で行えばよい。先ず、予めフレーム３内に収容配置した液晶パネル
２を、フレーム３と共に温度調節機能付きのホルダー４内に挿入し、そのホルダー４と共
に液晶パネル２をケース本体５１の開口部５１ａから挿入した後、その開口部５１ａに蓋
体５２を嵌めて閉塞すればよい。そのとき、ホルダー４は液晶パネル２をケース本体５１
内に挿入する際のガイドとして利用することができる。
【００３７】
上記のようにして組み立てた液晶装置１を使用するに当たって、例えば周囲の環境温度
や湿度に応じて液晶装置１内の液晶パネル２の温度や湿度（具体的には例えば液晶パネル
２を構成する部材の温度や湿度もしくは液晶パネル２の周囲の温度や湿度、以下同様）を
調整する必要がある場合には、それぞれ上記の温度制御手段としてのヒーターやクーラー
もしくは湿度制御手段としての加湿機や除湿機等で適宜調整すればよい。
【００３８】
具体的には、例えばケース５内の液晶パネル２の温度が低すぎる場合には、上記ヒータ
ーで液晶パネル２を加熱すればよく、逆に液晶パネル２の温度が高すぎる場合には、上記
クーラーで液晶パネル２を冷却すればよい。またケース５内の液晶パネル２の湿度が低す
ぎる場合には、連通管７に加湿機を接続して、その加湿機から連通管を介して液晶パネル
２の周囲に水蒸気等の高湿度の空気を導入すればよく、逆に液晶パネル２の周囲お湿度が
高すぎる場合には、連通管７に乾燥機を接続して、その乾燥機から連通管７を介してケー
ス５内に乾燥空気を導入して液晶パネル２を乾燥させればよい。上記の温度および湿度の
調整は両方同時に行うこともできる。
【００３９】
上記のように本発明においては、液晶装置１内の液晶パネル２の温度だけでなく、液晶
パネル２の湿度、すなわち液晶パネル２の周囲の環境湿度をも調整することができる。し
かも上記の温度と湿度の調整は同時に行うことも可能であり、それによって、液晶パネル
２の表示性能や耐久性を大幅に向上させることができる。
【００４０】
また液晶装置１内の液晶パネル２の温度や湿度に対する耐久性試験等を行う場合には、
従来のように温湿調整用のオーブン等を用いることなく、しかも液晶パネル２の温度や湿
度の変化に即応してリアルタイムで耐久性試験等を行うことができる。具体的には、例え
ば液晶パネル２の温度や湿度に対する該液晶パネル２の表示品位等の変化を調べる場合に
は、上記の温度制御手段や湿度制御手段によって液晶パネル２の温度や湿度を調整して、
そのときの液晶パネル２の表示品位等の変化を目視により、または計測機器によって調べ
ればよく、液晶パネル２の温度や湿度の変化に対する表示品位等の変化をリアルタイムで
調べることができる。また液晶装置を温湿調整用オーブンに入れて加温・加湿したり、或
いは液晶装置を実際の高温・高湿環境下に設置して試験を行う場合よりも簡便かつ容易で
ある。
【００４１】
なお、液晶パネル２の近傍には、その温度と湿度を測定するための温度計や湿度計等の
温度検知手段と湿度検知手段とを必要に応じて設けるようにしてもよく、そのようにする
と、液晶パネル２の温度と、液晶パネル２の周囲の湿度とを、より正確に測定することが
可能となり、液晶パネル２の温度や湿度に対する液晶パネル２の表示品位等の変化や対応
関係をより正確に調べることが可能となる。
【００４２】
また上記実施形態は、液晶パネル２をフレーム３内に収容した状態で温度制御手段を備
えたホルダー４内に挿入し、そのホルダー４と共に液晶パネル２を箱状のケース５内に密
閉収容するようにしたが、液晶パネル２をフレーム３内に収容することなく、直接ホルダ
ー４内に挿入してもよく、さらに上記のようなホルダー４を用いることなく、液晶パネル
２を直接ケース５内に収容して、そのケース５内もしくケース５の外部に設けたヒーター
やクーラー等の温度制御手段で温度調節するようにしてもよい。
【００４３】
〔電子機器〕
上記のように構成された電気光学装置としての液晶装置１は、プロジェクター等の投射
型表示装置におけるライドバルブ等の光変調手段として用いたり、携帯電話やノート型パ
ソコン等のモバイル機器や、その他各種電子機器の表示部などとして使用することができ
る。以下その一例として投射型表示装置に適用した場合について説明する。
【００４４】
図５は上記のような液晶装置１を、投射型表示装置、特に投射型カラー表示装置である
液晶カラープロジェクターにおける光変調用のライトバルブとして用した例を示すもので
、本例のプロジェクター１００は、上記図１のように構成された液晶装置１を３つ備え、
それらを、それぞれ三原色ＲＧＢ用のライトバルブ１Ｒ、１Ｇ、１Ｂとして用いたもので
、その各ライトバルブ１Ｒ、１Ｇ、１Ｂはダイクロイックプリズム１０１の近傍に配置さ
れている。
【００４５】
上記プロジェクター１００は、メタルハライドランプ等の白色光源を有するランプユニ
ット１０２から発せられた光を、３枚のミラー１０３と２枚のダイクロイックミラー１０
４とによって、三原色であるＲ、Ｇ、Ｂの３つの光成分に分けて、その各色に対応する上
記ライトバルブ１Ｒ、１Ｇ、１Ｂにそれぞれ導く構成である。なお、図示例において、上
記ランプユニット１０２からライトバルブ１Ｂに至るＢ光は、他の光（R、G光）よりも光
路長が長く、それによる光損失を防ぐために、３つのレンズ１０５〜１０７よりなるリレ
ーレンズ系を介してライトバルブ１Ｂに導かれるように構成されている。
【００４６】
上記のようにして各色に対応するライトバルブ１Ｒ、１Ｇ、１Ｂに、それぞれ導かれた
光成分Ｒ、Ｇ、Ｂは、上記ライトバルブ１Ｒ、１Ｇ、１Ｂ内に設けた液晶パネル２によっ
て、それぞれ所望の表示すべき画像情報等に応じて変調された後、上記ダイクロイックプ
リズム１０１に導かれる。次いで、そのダイクロイックプリズム１０１に導かれた光成分
Ｒ、Ｇ、Ｂは、そのプリズム１０１によって合成された後、投射レンズ１０８によってス
クリーン１０９上に投射され、カラー画像等として表示されるものである。
【００４７】
以上のように図１に示す電気光学装置としての液晶装置１を、プロジェクター等の投射
型表示装置のライトバルブ１Ｒ、１Ｇ、１Ｂとして用いることによって、それらのライト
バルブ１Ｒ、１Ｇ、１Ｂ内の液晶パネル２の温度や湿度を調整する必要がある場合には、
上記液晶装置１の場合と同様に、それぞれ温度制御手段や湿度制御手段で適宜調整するこ
とができる。
【００４８】
また上記ライトバルブ１Ｒ、１Ｇ、１Ｂ内の液晶パネル２の温度や湿度に対する耐久性
試験等を行う場合にも、従来のように温湿調整用のオーブン等を用いることなく、しかも
上記液晶装置１の場合と同様に、液晶パネル２の温度や湿度の変化に即応してリアルタイ
ムで耐久性試験等を行うことができる。また上記プロジェクター等の投射型表示装置を温
湿調整用オーブンに入れて加温・加湿したり、或いは投射型表示装置を実際の高温・高湿
環境下に設置して試験を行う場合よりも簡便かつ容易である。さらに、必要に応じて液晶
パネル２の近傍に温度検知手段と湿度検知手段とを設けると、液晶パネル２の温度と湿度
とを、より正確に測定することが可能となり、液晶パネル２の温度や湿度に対する液晶パ
ネル２の表示品位等の変化をより正確に調べることができる。
【００４９】
なお、上記実施形態はプロジェクター等の投射型表示装置に適用した場合を例にして説
明したが、これに限らず、上記のような液晶装置等の電気光学装置を備えた電子機器にも
適用可能であり、例えば表示部として上記のような液晶装置を備えた携帯型もしくはディ
スクトップ型の情報機器等に適用することができる。具体的には、例えば携帯電話、腕時
計、ワープロ、コンピューター、ＰＤＡ、電子ブック、テレビ、カメラ、カーナビゲーシ
ョン、テレビ電話、ＰＯＳ端末などの各種電子機器にも適用できる。上記いずれの場合に
も上記と同様の作用効果が得られる。
【００５０】
また本発明による電気光学装置および電子機器としては、上記実施形態のような光透過
型の液晶装置に限らず、例えばシリコン基板上に素子を形成する反射型液晶装置（ＬＣＯ
Ｓ）、プラズマディスプレイ（ＰＤＰ）、電界放出型ディスプレイ（ＦＥＤ，ＳＥＤ）、
有機ＥＬディスプレイ等の電気光学パネルを用いた電気光学装置や電子機器にも適用可能
であり、これらの電気光学装置や電子機器にあっても上記と同様の作用効果が得られる。
また上記の電気光学装置や電子機器はもとより、透過型の電気光学パネルを備えた電気光
学装置や電子機器であって該電気光学パネルの背面側にバックライトを備えた電気光学装
置や電子機器にあっては、そのバックライトよりも背面側に位置するホルダー本体４１の
開口部４１ａやケース本体５１の透明部等は省略することができる。
【符号の説明】
【００５１】
１…液晶装置（電気光学装置）、２…液晶パネル（電気光学パネル）、２ａ…画素領域
、３…フレーム、４…ホルダー、５…ケース、６…加湿機、７…連通管、１０…素子基板
、２０…対向基板、１１、２１…偏光板、１２…画素電極、２２…対向電極、１３、２３
…配向膜、２４…シール材、２５…液晶層、３１…フレーム本体、３２…支持プレート、
４１…ホルダー本体、４２…ヒーター、５１…ケース本体、５２…蓋体、１００…プロジ
ェクター（投射型表示装置）、１Ｒ、１Ｇ、１Ｂ…ライトバルブ（液晶パネル）、１０１
…ダイクロイックプリズム、１０２…ランプユニット、１０３…ミラー、１０４…ダイク
ロイックミラー、１０８…投射レンズ、１０９…スクリーン。
【図１】
2010181805.tif 000003
【図２】
2010181805.tif 000004
【図３】
2010181805.tif 000005
【図４】
2010181805.tif 000006
【図５】
2010181805.tif 000007